(57)【要約】【課題】本発明は、指等に嵌めて回転させることにより、色、模様、形状のいずれかが変化して異なるデザインにして楽しく使用することができ、飽きるのを防止するとともに、多数個用意しておかなくても、気分に応じて変化させて使用することができるリングを得るにある。【解決手段】指等に嵌めて回転させることができるリング本体と、このリング本体に、回転によって色、模様、形状のいずれかが変化するように２種類以上形成された色、模様、形状とでリングを構成している。【選択図】  図１
2005080801.tif 000002
【特許請求の範囲】
【請求項１】
指等に嵌めて回転させることができるリング本体と、このリング本体に、回転によって色、模様、形状のいずれかが変化するように２種類以上形成された色、模様、形状とからなることを特徴とするリング。
【請求項２】
指等に嵌めて回転させることができる２個以上のリング本体と、この２個以上のリング本体に、回転することによってそれぞれ色、模様、形状のいずれかが変化するように２種類以上形成された色、模様、形状とからなることを特徴とするリング。
【請求項３】
２個以上のリング本体には９０度、１８０度の回転させた部位で磁石によって吸着固定することができる磁石が取付けられていることを特徴とする請求項２記載のリング。
【発明の詳細な説明】
【技術分野】
【０００１】
本発明は指輪やブレスレット等のリングに関する。
【背景技術】
【０００２】
従来の指輪は貴金材でリング状に形成したり、このリング状のものに宝石を取付けたり、リングの表面に模様を形成したものである。
【０００３】
したがって、従来の指輪は固定的なデザインであるため、飽きてしまったり、気分に応じて色や模様、形状の異なるものを使用しようとすれば、複数個のの指輪を用意しておかなければならないという欠点があった。
【特許文献１】特開２００２−２８２０２４
【発明の開示】
【発明が解決しようとする課題】
【０００４】
本発明は以上のような従来の欠点に鑑み、指等に嵌めて回転させることにより、色、模様、形状のいずれかが変化して異なるデザインにして楽しく使用することができ、飽きるのを防止するとともに、多数個用意しておかなくても、気分に応じて変化させて使用することができるリングを提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は指等に嵌めて回転させることができるリング本体と、このリング本体に、回転によって色、模様、形状のいずれかが変化するように２種類以上形成された色、模様、形状とでリングを構成している。          
【発明の効果】
【０００７】
以上の説明から明らかなように、本発明にあっては次に列挙する効果が得られる。
【０００８】
（１）指等に嵌めて回転させることができるリング本体と、このリング本体に、回転によって色、模様、形状のいずれかが変化するように２種類以上形成された色、模様、形状とからなるので、指等に嵌めて回転させることにより、色、模様、形状のいずれかが異なるリングにできる。
したがって、気分に応じて変化させて使用することができる。
このため、従来のように複数個のリングを用意しておかなくてもよく、経済的に使用することができる。
【０００９】
（２）前記（１）によって、回転させることにより色、模様、形状のいずれかが異なるリングにできるので、１個で複数個のリングとしての使用ができる。
したがって、飽きるのを効率よく阻止して、長期間使用することができる。
【００１０】
（３）請求項２も前記（１）、（２）と同様の効果が得られるとともに、さらに色、模様、形状の変化が多くなり、楽しく使用することができる。
【００１１】
（４）請求項３も前記（１）〜（３）と同様な効果が得られるとともに、複数個のリング本体の位置決めが簡単にでき、使用中に位置ずれが生じるのを効率よく防止することができる。
【発明を実施するための最良の形態】
【００１２】
以下、図面に示す本発明を実施するための最良の形態より、本発明を詳細に説明する。
【００１３】
図１ないし図７に示す本発明を実施するための最良の第１の形態において、１は本発明の指輪として使用されるリングで、このリング１は指に嵌めて回転させることができる、貴金属、金属、合成樹脂材、木材、布、紙、セラミックス、ガラス等でリング状に形成されたリング本体２と、このリング本体２の対向する部分の一部であるイニシャル記入あるいはサイズ直し部３、３を除く部位に形成された異なる着色４、５とで構成されている。
なお、本発明を実施する形態ではリング本体２を貴金属材であるシルバーで形成したものを用いている。
【００１４】
前記異なる着色４、５はメッキ、塗装、古美調メッキで行なわれるが、本発明を実施する形態では古美調メッキで異なる着色４、５を行なう。
【００１５】
上記のように形成されたリング１は指に嵌めて、図４に示すように着色４を表面に位置させたり、図５に示すように回転させて着色５を表面に位置させたり、図６に示すようにイニシャル記入あるいはサイズ直し部３を中央部の表面に位置させたりして使用することができる。
また、図７に示すように２個のリング１、１を指に嵌めて使用することにより、より多くの変化が得られる。
[発明を実施するための異なる形態]
【００１６】
次に、図８ないし図２４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図８ないし図１１に示す本発明を実施するための第２の形態において、前記
本発明を実施するための最良の第１の形態と主に異なる点は、リング本体２に異なる模様６、７を形成した点で、このように構成したリング１Ａにしても、前記本発明を実施するための最良の第１の形態と同様な作用効果が得られるとともに、前記本発明を実施するための最良の第１の形態のリング１と、図１１に示すように並列状態に指に嵌めることにより、より多くの変化を楽しむことができる。
【００１８】
図１２ないし図１６に示す本発明を実施するための第３の形態において、前記本発明を実施するための最良の第１の形態と主に異なる点は、半円弧状部８と台形状の輪郭形状部９とからなる非対称形状の、指に嵌めて回転させることができるリング本体２Ａを用いた点で、このように形成したリング１Ｂにしても、前記本発明を実施するための最良の第１の形態と同様な作用効果が得られるとともに、本発明を実施するための最良の第１の形態のリング１と、図１５に示すように並列状態に指に嵌めることにより、より多くの変化を楽しむことができる。
また、図１６に示すように、リング１、１Ａ、１Ｂを並列状態に指に嵌めることにより、さらなる変化を楽しむことができる。
【００１９】
図１７ないし図２０に示す本発明を実施するための第４の形態において、前記本発明を実施するための最良の第１の形態、第２の形態および第３の形態と主に異なる点は、リング本体２、２、２Ａの両側面のほぼ９０度間隔で磁石１０、１０、１０、１０をそれぞれ固定したリング１Ｃ、１Ｄ、１Ｅにした点で、このように構成したリング１Ｃ、１Ｄ、１Ｅを複数個指に嵌めて磁石１０、１０、１０、１０で吸着させることにより、確実に複数個のリング１Ｃ、１Ｄ、１Ｅの位置決めを図ることができる。
【００２０】
図２１ないし図２４に示す本発明を実施するための第５の形態において、前記本発明を実施するための第４の形態と主に異なる点は、ブレスレットとして使用できるリング本体２Ｂ、２Ｂ、２Ｃにした点で、このように構成したリング１Ｆ、１Ｇ、１Ｈにしても、前記本発明を実施するための第４の形態と同様な作用効果が得られる。
なお、本発明を実施するための形態ではブレスレットとして使用できるものについて説明したが、本発明はこれに限らず、足につけるアンクレットとして使用できるものにしてもよい。
【００２１】
なお、前記本発明を実施するための各形態ではリング本体にイニシャル記入あるいはサイズ直し部３、３を形成するものについて説明したが、本発明はこれに限らず、１個だけのイニシャル記入あるいはサイズ直し部３を設けたり、あるいは、イニシャル記入あるいはサイズ直し部３、３を設けないものにしてもよい。
また、１個~複数個のリングを支持部材に所定位置で位置固定することができるように、あるいはフリ−に回転するように回転可能に支持させてネックレス、ブロ−チ、イヤリング等として使用できるようにしてもよい。
【産業上の利用可能性】
【００２２】
本発明は指輪やブレスレット等のリングを製造する産業で利用される。
【図面の簡単な説明】
【００２３】
【図１】本発明を実施するための最良の第１の形態の正面図。
【図２】本発明を実施するための最良の第１の形態の側面図。
【図３】図１の３−３線に沿う断面図。
【図４】本発明を実施するための最良の第１の形態の使用状態の説明図。
【図５】本発明を実施するための最良の第１の形態の異なる使用状態の説明図。
【図６】本発明を実施するための最良の第１の形態のさらなる異なる使用状態の説明図。
【図７】本発明を実施するための最良の第１の形態の２個使用した状態の説明図。
【図８】本発明を実施するための第２の形態の正面図。
【図９】本発明を実施するための第２に形態の側面図。
【図１０】図８の１０−１０線に沿う断面図。
【図１１】本発明を実施するための第２に形態の使用状態の説明図。
【図１２】本発明を実施するための第３の形態の正面図。
【図１３】本発明を実施するための第３の形態の平面図。
【図１４】図１２の１４−１４線に沿う断面図。
【図１５】本発明を実施するための第３の形態の使用状態の説明図。
【図１６】本発明を実施するための第３の形態の使用状態の説明図。
【図１７】本発明を実施するための第４の形態の正面図。
【図１８】本発明を実施するための第４の形態の側面図。
【図１９】図１７の１９−１９線に沿う断面図。
【図２０】本発明を実施するための第４の形態の使用状態の説明図。
【図２１】本発明を実施するための第５の形態の正面図。
【図２２】本発明を実施するための第５の形態の側面図。
【図２３】図２１の２３−２３線に沿う断面図。
【図２４】本発明を実施するための第５の形態の使用状態の説明図。
【符号の説明】
【００２４】
１、１Ａ、１Ｂ、１Ｃ、１Ｄ、１Ｅ、１Ｆ、１Ｇ、１Ｈ：リング、
２、２Ａ、２Ｂ、２Ｃ：リング本体、
３：イニシャル記入あるいはサイズ直し部、
４：着色、                    ５：着色、
６：模様、                   
７：模様、
８：半円弧状形成部、          ９：台形状の輪郭形状部、
１０：磁石。
【図１】
2005080801.tif 000003
【図２】
2005080801.tif 000004
【図３】
2005080801.tif 000005
【図４】
2005080801.tif 000006
【図５】
2005080801.tif 000007
【図６】
2005080801.tif 000008
【図７】
2005080801.tif 000009
【図８】
2005080801.tif 000010
【図９】
2005080801.tif 000011
【図１０】
2005080801.tif 000012
【図１１】
2005080801.tif 000013
【図１２】
2005080801.tif 000014
【図１３】
2005080801.tif 000015
【図１４】
2005080801.tif 000016
【図１５】
2005080801.tif 000017
【図１６】
2005080801.tif 000018
【図１７】
2005080801.tif 000019
【図１８】
2005080801.tif 000020
【図１９】
2005080801.tif 000021
【図２０】
2005080801.tif 000022
【図２１】
2005080801.tif 000023
【図２２】
2005080801.tif 000024
【図２３】
2005080801.tif 000025
【図２４】
2005080801.tif 000026